(57)【要約】  体温を調節するための装置であって、該装置は、基台の中に一つの開口を有する一つのケース、前記開口と相補的な形状の突起を有し、該突起が前記開口部内に挿入される、高熱伝導材料で作られたプレート、少なくとも一つのペルチェセル、前記装置の機能を司るための一つの電子回路基板（６）、一つのヒートシンク、一つのディスプレイ、前記電子回路基板、前記ペルチェセル及び前記ディスプレイを駆動するための一つのバッテリー、前記ケースの表面及び皮膚と接触している前記プレートの表面において皮膚の温度を測定するための一つの温度センサー、前記凹んだケースに固定されている一つのストラップ、前記ケースを閉じるためのリッド、前記電子回路基板に、操作可能に接続された、少なくとも一つのコマンドボタンを含み、前記ケースの中に、前記基台を始め、高熱伝導材料で作られた一つのプレート、一つの温度センサー、一つのペルチェセル、一つのヒートシンク、一つの電子回路基板、一つのディスプレイ及び一つのケースリッドが順々に配置され、前記温度センサーによって測定された皮膚の温度が前記回路基板上のメモリー内に格納された参照温度ＴＲと異なる場合にはいつでも、前記ペルチェセルが始動されることを特徴とする体温を調節するための装置。【選択図】図１
2017517289.tif 000002
【特許請求の範囲】
【請求項１】
体温を調節するための装置（１）であって、該装置は、
−  基台（２２）の中に一つの開口（２１）を有する一つのケース（２）；
−  前記開口（２１）と相補的な形状の突起（３１）で特徴付けられ、該突起が前記開口部（２１）内に挿入される、高熱伝導材料で作られたプレート（３）；
−  少なくとも一つのペルチェセル（４）；
−  前記装置（１）の機能を司るための一つの電子回路基板（６）；
−  一つのヒートシンク（７）；
−  一つのディスプレイ（１０）；
−  前記電子回路基板（６）、前記ペルチェセル（４）及び前記ディスプレイ（１０）を駆動するための一つのバッテリー（８）；
−  前記ケース（２）の表面における皮膚の温度及び同じ皮膚に接触している前記プレート（３）の表面における皮膚の温度を測定するように設計された一つの温度センサー（９）；
−  一つのストラップ（１１）、これは前記凹んだケース（２）に固定されている；
−  前記ケース（２）を閉じるためのリッド（１２）；
−  前記電子回路基板（６）に、操作可能に接続された、少なくとも一つのコマンドボタン（２５）；
を含み、
前記ケース（２）の中に、前記基台（２２）を始め、高熱伝導材料（３）で作られた一つのプレート（３）、一つの温度センサー（９）、一つのペルチェセル（４）、一つのヒートシンク（７）、一つの電子回路基板（６）、一つのディスプレイ（１０）及び前記ケース（１２）のための一つのリッドが順々に配置され、前記温度センサー（９）によって測定された皮膚の温度が前記回路基板（６）上のメモリー内に格納された参照温度ＴＲと異なる場合にはいつでも、前記ペルチェセルが始動されることを特徴とする体温を調節するための装置。
【請求項２】
前記電子回路基板（６）上の前記メモリー内に格納された前記参照温度ＴＲは、前記電子回路基板（６）に操作可能なように接続された前記温度センサー（９）によって全時間間隔Ｔに渡って測定され、前記装置（１）のユーザーによって直接始動される少なくとも一つの制御ボタン（２５）によって設定される一つの所与の温度”ＴＰ”から構成されることを特徴とする請求項１に記載の体温を調節するための装置。
【請求項３】
前記ディスプレイ（１０）は、前記電子回路基板（６）に操作可能なように接続されていて、以下の情報：時間（１０１）、日付（１０２）、参照皮膚温度ＴＲ（１０３）、瞬時皮膚温度（１０４）、バッテリー充電レベル（１０５）、熱機能のオン／オフ状態及び加熱あるいは冷却動作モード（１０６）、最低測定温度（１０７）、最高測定温度（１０８）を表示することを特徴とする請求項１または２に記載の体温を調節するための装置。
【請求項４】
前記ディスプレイ（１０）は、測定された温度の関数として表示色を変化させることを特徴とする請求項３に記載の体温を調節するための装置。
【請求項５】
少なくとも一つのコマンドボタン（２５）は、動作パラメータを設定あるいは変化させ得るように後者と相互作用するために、前記電子回路基板（６）と操作可能に接続されていることを特徴とする請求項１ないし４のいずれか一項に記載の体温を調節するための装置。
【請求項６】
高熱伝導材料で作られた前記プレート（３）と前記ペルチェセル（４）の間に一つの熱伝導インターフェース（５ａ）が置かれており、及び同じ前記ペルチェセル（４）と前記ヒートシンク（７）の間に一つの第二熱伝導インターフェース（５ｂ）が置かれていることを特徴とする請求項１ないし５のいずれか一項に記載の体温を調節するための装置。
【請求項７】
前記ペルチェセル（４）の一方の面が一つのヒートシンク（７）と接触していることを特徴とする請求項１、２、３及び４のいずれか一項に記載の体温を調節するための装置。
【請求項８】
前記装置それ自身が、一つのストラップ（１１）によってユーザーの手首の皮膚と接触を保たれていることを特徴とする請求項１ないし７のいずれか一項に記載の体温を調節するための装置。
【請求項９】
前記ストラップ（１１）は一つのセンサー（１１１）を備えており、該センサーは、前記ストラップ（１１）のクロージャを前記電子回路基板（６）に伝達することに適していることを特徴とする請求項１ないし８のいずれか一項に記載の体温を調節するための装置。
【請求項１０】
前記装置（１）を用いた身体温度調節方法であって、以下の工程：
−  少なくとも１つのコマンドボタン（２５）によって前記装置（１）を始動させること；
−  前記温度センサー（９）により、全時間間隔”Ｔ”の間、所定の時間間隔”Ｔ１”のＮ間隔後に測定された、ケース（２）と接触している皮膚の温度及び高熱伝導材料製の前記プレート（３）と接触している皮膚の温度を取得し、且つ前記電子回路基板（６）上のメモリーに格納すること；
−  測定された温度を前記電子回路基板（６）に伝達すること；
−  全時間間隔Ｔの間に測定された値から導かれ、次いで前記参照温度ＴＲのための値を構成する平均温度を、前記電子カード（６）によって計算すること；
−  前記温度センサー（９）により前記瞬時温度”ＴＳ”を取得すること、そして、予め設定した時間間隔”Ｔ３”毎に前記参照温度”ＴＲ”及び前記”ＴＳ”を比較すること；
−  前記瞬時温度”ＴＳ”が前記参照温度”ＴＲ”と異なるときにはいつでも前記ペルチェセル（４）を始動すること、すなわち、前記瞬時温度”ＴＳ”が前記参照温度”ＴＲ”より高いとき前記ペルチェセルの冷却、あるいは前記瞬時温度”ＴＳ”が前記参照温度”ＴＲ”より低いとき前記ペルチェセルの加熱を実施すること；
−  前記瞬時温度“ＴＳ”が前記参照温度”ＴＲ”に一致する状態にある間、前記ペルチェセル（４）の稼働を停止させること；
−  時間間隔Ｔに続き、各々の新しい時間間隔”Ｔ２”の終端において、前記温度センサー（９）を用いて皮膚の温度を検出することによって前記参照温度”ＴＲ”を更新すること；
−  時間的に最も離れた測定を除き、そこに最も直近の測定を含めさせた、直近Ｎ−１回の測定に渡って計測された温度の平均値から構成される新しい参照温度”ＴＲ”を前記電子回路基板（６）によって再計算すること
を特徴とする身体温度調節方法。
【発明の詳細な説明】
【技術分野】
【０００１】
本発明において参照される装置は、人体の体温調節装置の分野、より具体的には、体温を調節する装置及び方法に関するものである。
【０００２】
当技術分野で周知のように、体温調節という用語は、その体そのものの温度から極端に異なるような気温の下であっても、所与の範囲内に体温を抑える生物の能力を意味する。異なる気象条件への順応は、肝臓、脳及び心臓の側の生理的機能、及び骨格筋の収縮によって成し遂げられる。異なる温度に順応するための人体機能に基づく熱の生成及び消費のプロセスを無視するなら、その代わり身体による周囲環境との熱の交換に関しては、対流、伝達、放射及び蒸発のプロセスによって実行されることが知られている。
【０００３】
例えば、身体の温度を低下させる必要が生じた時、一つの解決策は、空気が皮膚の上を移動して、それにより蒸発を促進させ、その結果身体温度の低下をもたらすというものである。単に蒸発だけに頼るより、かえってこのプロセスは、液体で皮膚を湿らせることによって促進され得るものであり、その結果、伝達による熱伝達をも利用している。
【０００４】
人体に熱を伝えまた人体から熱を受け取るためのもう一つの方法は、熱電素子を利用することにあり、例えば、「ペルチェセル」を利用することである。この本質は、一連の「ペルチェ」効果接合で構成された熱電素子にあり、それは一つの固体熱ポンプをもたらし、それによって皮膚と接触するように置かれたとき、温度勾配を生じさせることができる。
【背景技術】
【０００５】
当技術分野には周知の身体温度調節装置が既に存在しており、それらは体温を制御するための手段としてペルチェセルを採用しているのであって、それらの内の一つが日本の特開２００４−２６３３２５号公報に記載されている。
【０００６】
この装置の本質は、一連のペルチェセルを備えた衣服の製品にあり、一連のペルチェセルは衣服がそれによって作られる生地の中に封入されている。複数のセルは、さらにバッテリーによって駆動され、温度制御ユニットによって制御される。この装置は、しかしながら、エネルギー効率の低さが問題であり、それは、熱をユーザーの身体に移送するためのペルチェセルを皮膚の表面に効率的に貼り付けることができないことに起因している。
【０００７】
さらなる身体温度調節装置が、日本の特開２００８−０３１５８１号公報に記載されている。この装置もまた、身体温度調節装置であって、ペルチェセルに基づく加熱及び冷却システムに適合した衣服の形態をとる装置に関連している。この装置は、大寸法で特徴づけられる関連温度調節装置とともに記載されているが、「ペルチェ」セルと皮膚との間の密着に乏しいため実用的ではなく、したがって、この装置もまたユーザーの身体への、また身体からの高いエネルギー伝達効率を与えるものではない。
【０００８】
さらなる身体温度調節装置が、日本の特開２０１２−１６１４４６号公報に記載されている。この身体温度調節装置の本質は、「ペルチェ」セルとともに流体を利用した熱交換のためのシステムを備えたカラーにある。この装置もまた、しかしながら、その大きな寸法という欠点があり、特にユーザーの首の周りという装置の装着位置が、ある状況下における使用を厳しく制限するのである。
【０００９】
その他の身体温度調節装置が、日本の特開２０１０−０８２４２７号公報及び特開２００２−５１２０８１号公報に記載されているが、いずれも上述した装置と同じ欠点を有している。
【発明の概要】
【発明が解決しようとする課題】
【００１０】
まとめると、当技術分野に周知の身体温度調節装置は次のような欠点を有している：寸法が大きく、それらの使用を厳しく制限すること、ペルチェセルと皮膚との間の乏しい密着性による低いエネルギー効率、及び既知の身体温度調節装置のいずれもが、問題となっている装置の要求される熱に関する機能性をユーザーが調節することを許す実時間体温表示素子を備えていないこと。
【課題を解決するための手段】
【００１１】
本発明の目的は、当技術分野において周知のそれら身体温度調節装置に伴っていた欠点を解決する装置を提供することにあり、詳しくは、小型、高熱伝達エネルギー効率で、熱を伝達し、あるいは取り除くためにユーザーの手首に装着可能という特徴を有する一つの身体温度調節装置を提供することにある。
【００１２】
本発明の別の目的は、体温表示素子を備える一つの身体温度調節装置を提供することあり、当該装置によりユーザーは、その表示及び身体の瞬時的温度の評価にしたがって身体の温度を調節することを許される。
【００１３】
本発明のさらなる目的は、ストレスを減少させ、及び健康であるとの感情を増加させ、もって崩れたエネルギー場のバランスを元に戻すことによって皮膚の弛緩を可能にすることである。
【図面の簡単な説明】
【００１４】
これらの、そしてさらなる目的は本願の身体温度調節装置によって達成されるものであり、その好適な実施例が、それを説明する添付図を用いて以下に述べられるが、本特許に対するさらなる開発によって、制限されるものではない：
【図１】本発明を参照する身体温度調節装置の展開図である。
【図２】本発明を参照する身体温度調節装置の断面図である。
【図３】本身体温度調節装置の表示装置の外観図である。
【発明を実施するための形態】
【００１５】
添付図を参照すると、本発明を示し且つ一つの身体温度調節装置１に関連した装置は、ケース２から成り、ケース２の中には、順に、基台２２から始まり、高電熱材料３で作られ、温度センサー９を備える一枚のプレート、一つの熱伝導インターフェース５ａ、一つのペルチェセル４、一つの第２熱伝導インターフェース５ｂ、一つのヒートシンク７、前記ケース２の密封封止を可能にする一つのリッド１２の上に載置された一つのディスプレイ１０であって、該ディスプレイ１０を保護するために設計されたガラス窓１３を備えるディスプレイ１０が挿入される。
【００１６】
再びケース２を見ると、その中には一枚の電子回路基板６及び装置１に電力を供給するための一つ以上のバッテリー８が見出され；さらに；ケース２が、ストラップ１１によって、装置１がユーザーの手首Ｗを取り巻くような位置に保たれることが分かる。最終的には、ケース２及びリッド１２は複数の穴２４で特徴付けられ、これらの穴には制御ボタン２５が配置され、それらは操作可能なように電子回路基板６に接続されて、装置の動作パラメータの設定あるいは変更のため後者に作用する。
【００１７】
添付図を参照すると、ケース２は、その基台部に、さらにプレート３の面３ａ上に配置された底部突起３１の形状に対応した形状を有する一つの開口２１を示し得ることが分かり、そのプレートは高熱伝導材料で作られている。前記底部突起３１の厚さは、ケース２の基台２２の厚さに一致する。
【００１８】
高熱伝導材料で作られたプレート３は、ペルチェセル４からの熱を皮膚に伝達し、あるいはその逆もまた同様である。この目的のために、プレート３は高熱伝導材料、例えばアルミニウムのような、で作られ、そして皮膚と接触しており、この方法によって、装置１が装着されていればいつでも熱交換が生じる。
【００１９】
開口２１が存在しない場合、ケース２の基台２２は閉じられ、そしてペルチェセル４の面４ａと接触するように配置され得る。
【００２０】
熱交換を増加させるために、熱伝導インターフェース５ａ及び５ｂは、ペルチェセル４を囲む働きをするように存在させられ得る；特に、インターフェース５ａ及び５ｂは、ペルチェセル４とプレート３の間の熱交換を増加するように設計され、高熱伝導材料で作られ、そしてペルチェセル４とヒートシンク７の間の熱交換を増加するように設計され、後者もまたペルチェセル４と接触配置される。
【００２１】
既に述べたように、ペルチェセル４は、一緒に固体熱ポンプを構成する複数の“ペルチェ”効果接合を含んでおり、そこでは一つの面が熱を吸収する一方、他の面はそれを作り出し、且つ熱が伝達される方向は、セルそれ自身に印加される連続電流の向きに依存する。
【００２２】
電子回路基板６は、装置の動作を正確に司るために必要なすべての素子を含む。したがって、それは、操作可能なようにディスプレイ１０、温度センサー９、ペルチェセル４、制御ボタン２５に接続され、そしてバッテリー８によって電力が供給される。電子回路基板は以下のタスクを果たす：センサー９によって皮膚温度を測定し、測定値をメモリーに格納する、代数演算及び比較操作を実行し、熱交換の結果としてペルチェセル４を始動させ、並びに温度及び機能情報をディスプレイ１０に送る。電子回路基板６はまた、ボタン２５から演繹される制御信号を解釈する能力を有する。
【００２３】
ディスプレイ１０は、装置の動作に関連するすべての情報を詳らかにし、それらには、測定された温度、共通デジタル時計による現在の日時に関する情報が含まれ、熱機能のプログラミングを可能にする。より具体的には、ディスプレイ１０は、以下の情報を詳らかにする：時間１０１、日付１０２、参照皮膚温度１０３、瞬時皮膚温度１０４、バッテリー充電レベル１０５、熱機能状態（オン／オフ）及び熱機能モード（加熱／冷却）１０６並びに最低温度１０７及び最高温度１０８。さらに、ディスプレイ１０は、参照温度の関数として及び熱機能モードの関数として、その色を変化させるようにブログラムされている。
【００２４】
ヒートシンク７は、ペルチェセル４によって生成されるいくらかの熱が装置１の外に向けて消散されることを可能にする。
【００２５】
一旦手首の適切な位置に置かれ、そして始動されると、例えば、１０時間持続する、所定の時間間隔”Ｔ”の間、身体温度調節装置１は、その期間中皮膚温度を、所定の時間間隔”Ｔ１”に渡って”Ｎ”間隔毎に、例えば、学習フェーズの１０時間中の毎正時に、取得する身体温度取得フェーズを開始する。
【００２６】
参照温度測定フェーズは電子回路基板６によって賄われ、この目的のため、該電子回路基板は温度センサー９によって測定された値をメモリーに格納するところ、該センサーは皮膚と接触している。
【００２７】
温度取得フェーズの最後に、電子回路基板６は平均温度（参照温度”ＴＲ”とも呼ばれる）を計算し、その値１０３はディスプレイ１０上に詳らかにされる。
【００２８】
参照温度ＴＲ、取得フェーズの時間間隔Ｔの間に測定された温度の平均値、は、所定の時間間隔”Ｔ２”、例えば、最後の参照温度ＴＲ測定事象から１時間毎に生じるさらなる温度測定によって常に更新される。したがって、上記の例では、新しい参照温度ＴＲは、過去１０時間に渡って測定された温度の平均の結果となるものであり、そこでは、時間的に最も離れた測定は排除され、そして代わりに最も近い測定が採り入れられる。装置１は、よって、使用中常に参照温度ＴＲを更新する。
【００２９】
装置が手首の適切な位置に置かれ、そして始動された場合には、他にも、参照温度ＴＲ取得フェーズは、リセットボタンを介した手動操作によっても開始することができる。
【００３０】
前記参照温度ＴＲ取得フェーズの期間中は、装置１の高熱伝導材料で作られたプレート３における温度の、皮膚の温度に対する安定化を図るため、ペルチェセル４の熱伝達機能は動作を停止させられる。さらに、この段階では、一つのアイコン１０６、例えば、砂時計のようなくびれた形、がディスプレイ１０上に現れ、装置１が参照温度取得フェーズによって占有されていることが示される。
【００３１】
装置が装着されていない場合、電子回路基板６によって実行される参照温度及び最低／最高温度算出プロセスは中断される；装置は、再びそれが手首の適切な位置に置かれた時に測定を開始する。この目的のために、ストラップ１１上に一つのセンサー１１１があり、電子回路基板６が、それを利用して装置１が装着されているか否かを検出する。
【００３２】
ストラップ１１が閉じているときはいつも、再始動リクエストあるいはその他の熱機能リクエストがディスプレイ１０上に現れる。
【００３３】
ストラップ１１は、さらに、ベルクロ付きのストラップ１１２、バックルあるいは展開バックルクロージャ要素の形態を採ることができる。
【００３４】
皮膚温度測定はまた、専用制御ボタン２５によって手動で行うことができる。
【００３５】
身体温度調節装置１は二つの動作モードによって特徴付けられる：第１モードは、参照温度ＴＲ付近に身体温度を保つことを目標としており、そして、第２モードは、第１モードが動作停止されているときにだけ始動され得るものであり、与えられた時間間隔”Ｔ４”に渡ってペルチェセルを周期的に始動させる。この周期的な始動は、プレート３の底部と接触している皮膚の表面を加熱だけ、あるいは冷却だけすることのどちらか一方だけ行うようにプログラムすることができる。
【００３６】
“自動”モードもまた含まれており、そこでは装置１は、所定の時間の間交互に加熱し及び次いで冷却する。
【００３７】
誤った温度測定を排除するため、ペルチェセル４が始動し、且つ同時に参照温度測定が温度範囲”Ｔ１”の終わりにおいて実行されつつあるときには、温度センサー９による温度測定が実行される前に、電子回路基板６が、まずペルチェセル４を無効にする。
【００３８】
本装置はまた、ボタン２５によって特徴付けられており、それはユーザーがいつでも参照温度”ＴＲ”をリセットして、参照温度学習フェーズを再開させることを可能にする。
【００３９】
前に述べたように、本装置は二つの動作モードによって特徴付けられており、第１の場合、予め設定した時間間隔”Ｔ３”が経過すると、電子回路基板６は、温度センサー９を用いて、瞬時温度測定”ＴＳ”を実行し、その結果としての値１０４がまた、ディスプレイ１０上に現れ、そしてそれを参照温度”ＴＲ”と比較する。その差が所与のヒステリシス値（例えば、デフォルト値の０．５℃、この値は２℃まで０．５℃刻みで手動により設定することができる）より大きいか、あるいは小さいとき、電子回路基板６はペルチェセル４を、身体温度を再びバランスさせるため加熱あるいは冷却に応じて始動させる。
【００４０】
ペルチェセル４の熱機能は、測定された温度ＴＳが再構築され、あるいは参照温度ＴＳ＝ＴＲに予定されているヒステリシス値内に復帰したときにのみ、その動作が停止される。
【００４１】
第１熱動作モードの代わりとして、電子回路基板６は装置１を制御して、所定の時間が経過した後にペルチェセル４を所与の時間間隔”Ｔ４”の間だけ始動させることができる。この動作モードでは、本装置は、まず所与の継続期間加熱し、次いである時間間隔を経て、本装置は、前と同じ継続期間冷却する。
【００４２】
別の方法として、本装置は、単一の加熱あるいは冷却サイクルを予定して設定することができ、そのサイクルは手動で予め設定した期間だけ継続される。
【００４３】
この動作モードでは、到達あるいは維持されるべき新しい温度は、所与の温度”ＴＰ”になり、これは、装置によって保証される最大温度差まで、ｎ−度だけ、より高いか、あるいはより低くし得るものである。このような目的で、所与の温度”ＴＰ”、ユーザーによって選ばれる、は、装置１を特徴づける制御ボタン２５によって設定される。
【００４４】
このロジックにしたがって、熱機能は、所与の時間間隔の経過後、維持されるべき温度が参照温度ＴＲのそれに復帰する時点において自動的に停止する。
【００４５】
本装置の動作フェーズの概略例を、明確な時間間隔を用いて与える。
０）  学習フェーズにおける参照温度ＴＲは１０時間の全持続時間Ｔを有しており、その期間中温度がＴ１間隔毎（すなわち、正時に）に測定され、その時点においてペルチェセル４の動作が停止されて測定自身に影響しないようにされる。
１）  一度参照温度ＴＲが計算されると、連続するＴ２間隔毎に、例えば２秒後、瞬時温度ＴＳが測定され、そして大体ペルチェセル４を始動することによって参照温度ＴＲ（ＴＲ＝ＴＳ）を一定に保つために使用される。
２）  所定の時間間隔、例えば５５分、が経過した後、次いでペルチェセルが動作を停止される。
３）  さらに所定の時間間隔、例えば、５分、が経過した後、温度測定が実施され、先立つ１０時間に渡る平均値が更新される、すなわち、参照温度ＴＲが更新され、その時点で直近に測定された温度ＴＳ１０４及び新しい参照温度ＴＲ１０３をもって表示が更新される。
４）  例えば、ペルチェセル４が最後に始動されてから２時間が経過し、そして装置１の熱動作モードが、ペルチェセル４が所定の時間間隔のための設定された時間後に周期的に始動するように設定されると、装置は、フェーズ５から継続するか、あるいはフェーズ１から再始動する。
５）  ペルチェセル４は、最大温度差３度をもって加熱あるいは冷却するために始動され、ついで、例えば、設定温度を参照温度ＴＲに戻す。
６）  連続する時間間隔Ｔ１、例えば、２秒後、の各々において、瞬時温度ＴＳが測定され、そして大体ペルチェセル４を始動することによって参照温度ＴＲを一定に保つために使用される。
７）  所定の時間間隔、例えば、５５分、が経過した後、次いでペルチェセルが動作を停止される。
８）  さらに所定の時間間隔、例えば、５分、が経過した後、温度測定が実施され、先立つ１０時間に渡る平均値が更新される、すなわち、参照温度ＴＲが更新され、その時点で直近に測定された温度ＴＳ１０４及び新しい参照温度ＴＲ１０３をもって表示が更新され、次いで装置はフェーズ４から再始動する。
【００４６】
時間間隔Ｔ、Ｔ１及びＴ２、時間間隔の数Ｎ並びに温度ＴＲは説明のためのものであり、これら記載され及びユーザーによって設定されるものとは異なり得る。
【図１】
2017517289.tif 000003
【図２】
2017517289.tif 000004
【図３】
2017517289.tif 000005
【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
体温を調節するための装置（１）であって、該装置は、
−  基台（２２）の中に一つの開口（２１）を有する一つのケース（２）；
−  前記開口（２１）と相補的な形状の突起（３１）で特徴付けられ、該突起が前記開口部（２１）内に挿入される、高熱伝導材料で作られたプレート（３）；
−  少なくとも一つのペルチェセル（４）；
−  前記装置（１）の機能を司るための一つの電子回路基板（６）；
−  一つのヒートシンク（７）；
−  一つのディスプレイ（１０）；
−  前記電子回路基板（６）、前記ペルチェセル（４）及び前記ディスプレイ（１０）を駆動するための一つのバッテリー（８）；
−  前記ケース（２）の表面における皮膚の温度及び同じ皮膚に接触している前記プレート（３）の表面における皮膚の温度を測定するように設計された一つの温度センサー（９）；
−  一つのストラップ（１１）、これは前記凹んだケース（２）に固定されている；
−  前記ケース（２）を閉じるためのリッド（１２）；
−  前記電子回路基板（６）に、操作可能に接続された、少なくとも一つのコマンドボタン（２５）；
を含み、
ここで、前記ケース（２）の中に、前記基台（２２）を始め、高熱伝導材料（３）で作られた一つのプレート（３）、一つの温度センサー（９）、一つのペルチェセル（４）、一つのヒートシンク（７）、一つの電子回路基板（６）、一つのディスプレイ（１０）及び前記ケース（１２）のための一つのリッドが順々に配置され、前記温度センサー（９）によって測定された皮膚の温度が前記回路基板（６）上のメモリー内に格納された参照温度ＴＲと異なる場合にはいつでも、前記ペルチェセルが始動され、
前記ディスプレイ（１０）が測定された温度の一つの関数として表示色を変化させることを特徴とする体温を調節するための装置。
【請求項２】
前記ストラップ（１１）は一つのセンサー（１１１）を備えており、該センサーは、前記ストラップ（１１）のクロージャを前記電子回路基板（６）に伝達することに適していることを特徴とする請求項１に記載の体温を調節するための装置。
【請求項３】
前記装置（１）を用いた身体温度調節方法であって、以下の工程：
−  少なくとも１つのコマンドボタン（２５）によって前記装置（１）を始動させること；
−  前記温度センサー（９）により、全時間間隔”Ｔ”の間、所定の時間間隔”Ｔ１”のＮ間隔後に測定された、ケース（２）と接触している皮膚の温度及び高熱伝導材料製の前記プレート（３）と接触している皮膚の温度を取得し、且つ前記電子回路基板（６）上のメモリーに格納すること；
−  測定された温度を前記電子回路基板（６）に伝達すること；
−  全時間間隔Ｔの間に測定された値から導かれ、次いで前記参照温度ＴＲのための値を構成する平均温度を、前記電子カード（６）によって計算すること；
−  前記温度センサー（９）により前記瞬時温度”ＴＳ”を取得すること、そして、予め設定した時間間隔”Ｔ３”毎に前記参照温度”ＴＲ”及び前記”ＴＳ”を比較すること；
−  前記瞬時温度”ＴＳ”が前記参照温度”ＴＲ”と異なるときにはいつでも前記ペルチェセル（４）を始動すること、すなわち、前記瞬時温度”ＴＳ”が前記参照温度”ＴＲ”より高いとき前記ペルチェセルの冷却、あるいは前記瞬時温度”ＴＳ”が前記参照温度”ＴＲ”より低いとき前記ペルチェセルの加熱を実施すること；
−  前記瞬時温度“ＴＳ”が前記参照温度”ＴＲ”に一致する状態にある間、前記ペルチェセル（４）の稼働を停止させること；
−  時間間隔Ｔに続き、各々の新しい時間間隔”Ｔ２”の終端において、前記温度センサー（９）を用いて皮膚の温度を検出することによって前記参照温度”ＴＲ”を更新すること；
−  時間的に最も離れた測定を除き、そこに最も直近の測定を含めさせた、直近Ｎ−１回の測定に渡って計測された温度の平均値から構成される新しい参照温度”ＴＲ”を前記電子回路基板（６）によって再計算すること
を特徴とする身体温度調節方法。
【請求項４】
前記電子回路基板（６）上の前記メモリー内に格納された前記参照温度ＴＲは、前記電子回路基板（６）に操作可能なように接続された前記温度センサー（９）によって全時間間隔Ｔに渡って測定され、前記装置（１）のユーザーによって直接始動される少なくとも一つの制御ボタン（２５）によって設定される一つの所与の温度”ＴＰ”から構成されることを特徴とする請求項１に記載の体温を調節するための装置。
【請求項５】
前記ディスプレイ（１０）は、前記電子回路基板（６）に操作可能なように接続されていて、以下の情報：時間（１０１）、日付（１０２）、参照皮膚温度ＴＲ（１０３）、瞬時皮膚温度（１０４）、バッテリー充電レベル（１０５）、熱機能のオン／オフ状態及び加熱あるいは冷却動作モード（１０６）、最低測定温度（１０７）、最高測定温度（１０８）を表示することを特徴とする請求項１ないし４のいずれか一項に記載の体温を調節するための装置。
【請求項６】
少なくとも一つのコマンドボタン（２５）は、動作パラメータを設定あるいは変化させ得るように後者と相互作用するために、前記電子回路基板（６）と操作可能に接続されていることを特徴とする請求項１ないし５のいずれか一項に記載の体温を調節するための装置。
【請求項７】
高熱伝導材料で作られた前記プレート（３）と前記ペルチェセル（４）の間に一つの熱伝導インターフェース（５ａ）が置かれており、及び同じ前記ペルチェセル（４）と前記ヒートシンク（７）の間に一つの第二熱伝導インターフェース（５ｂ）が置かれていることを特徴とする請求項１ないし６のいずれか一項に記載の体温を調節するための装置。
【請求項８】
前記ペルチェセル（４）の一方の面が一つのヒートシンク（７）と接触していることを特徴とする請求項１、２、３及び４のいずれか一項に記載の体温を調節するための装置。
【請求項９】
前記装置それ自身が、一つのストラップ（１１）によってユーザーの手首の皮膚と接触を保たれていることを特徴とする請求項１ないし８のいずれか一項に記載の体温を調節するための装置。
【手続補正書】
【提出日】平成28年4月8日(2016.4.8)
【手続補正１】
【補正対象書類名】特許請求の範囲
【補正対象項目名】全文
【補正方法】変更
【補正の内容】
【特許請求の範囲】
【請求項１】
体温を調節するための装置（１）であって、該装置は、
−  基台（２２）の中に一つの開口（２１）を有する一つのケース（２）；
−  前記開口（２１）と相補的な形状の突起（３１）で特徴付けられ、該突起が前記開口部（２１）内に挿入される、高熱伝導材料で作られたプレート（３）；
−  少なくとも一つのペルチェセル（４）；
−  前記装置（１）の機能を司るための一つの電子回路基板（６）；
−  一つのヒートシンク（７）；
−  測定された温度の関数として表示色を変化させる一つのディスプレイ（１０）；
−  前記電子回路基板（６）、前記ペルチェセル（４）及び前記ディスプレイ（１０）を駆動するための一つのバッテリー（８）；
−  前記ケース（２）の表面における皮膚の温度及び同じ皮膚に接触している前記プレート（３）の表面における皮膚の温度を測定するように設計された一つの温度センサー（９）；
−  一つのストラップ（１１）、これは前記凹んだケース（２）に固定されている；
−  前記ケース（２）を閉じるためのリッド（１２）；
−  前記電子回路基板（６）に、操作可能に接続された、少なくとも一つのコマンドボタン（２５）；
を含み、
ここで、前記ケース（２）の中に、前記基台（２２）を始め、高熱伝導材料（３）で作られた一つのプレート（３）、一つの温度センサー（９）、一つのペルチェセル（４）、一つのヒートシンク（７）、一つの電子回路基板（６）、一つのディスプレイ（１０）及び前記ケース（１２）のための一つのリッドが順々に配置され、前記温度センサー（９）によって測定された皮膚の温度が前記回路基板（６）上のメモリー内に格納された参照温度ＴＲと異なる場合にはいつでも、前記ペルチェセルが始動されるものであるところ、
前記ストラップ（１１）は一つのセンサー（１１１）を備えており、該センサーは、前記ストラップ（１１）のクロージャを前記電子回路基板（６）に伝達することに適していることを特徴とする体温を調節するための装置。
【請求項２】
前記装置（１）を用いた身体温度調節方法であって、以下の工程：
−  少なくとも１つのコマンドボタン（２５）によって前記装置（１）を始動させること；
−  前記温度センサー（９）により、全時間間隔”Ｔ”の間、所定の時間間隔”Ｔ１”のＮ間隔後に測定された、ケース（２）と接触している皮膚の温度及び高熱伝導材料製の前記プレート（３）と接触している皮膚の温度を取得し、且つ前記電子回路基板（６）上のメモリーに格納すること；
−  測定された温度を前記電子回路基板（６）に伝達すること；
−  全時間間隔Ｔの間に測定された値から導かれ、次いで前記参照温度ＴＲのための値を構成する平均温度を、前記電子カード（６）によって計算すること；
−  前記温度センサー（９）により前記瞬時温度”ＴＳ”を取得すること、そして、予め設定した時間間隔”Ｔ３”毎に前記参照温度”ＴＲ”及び前記”ＴＳ”を比較すること；
−  前記瞬時温度”ＴＳ”が前記参照温度”ＴＲ”と異なるときにはいつでも前記ペルチェセル（４）を始動すること、すなわち、前記瞬時温度”ＴＳ”が前記参照温度”ＴＲ”より高いとき前記ペルチェセルの冷却、あるいは前記瞬時温度”ＴＳ”が前記参照温度”ＴＲ”より低いとき前記ペルチェセルの加熱を実施すること；
−  前記瞬時温度“ＴＳ”が前記参照温度”ＴＲ”に一致する状態にある間、前記ペルチェセル（４）の稼働を停止させること；
−  時間間隔Ｔに続き、各々の新しい時間間隔”Ｔ２”の終端において、前記温度センサー（９）を用いて皮膚の温度を検出することによって前記参照温度”ＴＲ”を更新すること；
−  時間的に最も離れた測定を除き、そこに最も直近の測定を含めさせた、直近Ｎ−１回の測定に渡って計測された温度の平均値から構成される新しい参照温度”ＴＲ”を前記電子回路基板（６）によって再計算すること
を特徴とする身体温度調節方法。
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
−  基台（２２）の中に一つの開口（２１）を有する一つのケース（２）；
−  前記開口（２１）と相補的な形状の突起（３１）で特徴付けられ、該突起が前記開口部（２１）内に挿入される、高熱伝導材料で作られたプレート（３）；
−  少なくとも一つのペルチェセル（４）；
−  前記装置（１）の機能を司るための一つの電子回路基板（６）；
−  一つのヒートシンク（７）；
−  測定された温度の関数として表示色を変化させる一つのディスプレイ（１０）；
−  前記電子回路基板（６）、前記ペルチェセル（４）及び前記ディスプレイ（１０）を駆動するための一つのバッテリー（８）；
−  前記ケース（２）の表面における皮膚の温度及び同じ皮膚に接触している前記プレート（３）の表面における皮膚の温度を測定するように設計された一つの温度センサー（９）；
−  一つのストラップ（１１）、これは前記凹んだケース（２）に固定されている；
−  前記ケース（２）を閉じるためのリッド（１２）；
−  前記電子回路基板（６）に、操作可能に接続された、少なくとも一つのコマンドボタン（２５）からなる体温を調節するための装置（１）において、
前記ケース（２）の中に、前記基台（２２）を始め、高熱伝導材料（３）で作られた一つのプレート（３）、一つの温度センサー（９）、一つのペルチェセル（４）、一つのヒートシンク（７）、一つの電子回路基板（６）、一つのディスプレイ（１０）及び前記ケース（１２）のための一つのリッドが順々に配置され、前記温度センサー（９）によって測定された皮膚の温度が前記回路基板（６）上のメモリー内に格納された参照温度ＴＲと異なる場合にはいつでも、前記ペルチェセルが始動されるものであるところ、
前記ストラップ（１１）は一つのセンサー（１１１）を備えており、該センサーは、前記ストラップ（１１）のクロージャを前記電子回路基板（６）に伝達することに適していることを特徴とする体温を調節するための装置。
【請求項２】
前記装置（１）を用いた身体温度調節方法であって、以下の工程：
−  少なくとも１つのコマンドボタン（２５）によって前記装置（１）を始動させること；
−  前記温度センサー（９）により、全時間間隔”Ｔ”の間、所定の時間間隔”Ｔ１”のＮ間隔後に測定された、ケース（２）と接触している皮膚の温度及び高熱伝導材料製の前記プレート（３）と接触している皮膚の温度を取得し、且つ前記電子回路基板（６）上のメモリーに格納すること；
−  測定された温度を前記電子回路基板（６）に伝達すること；
−  全時間間隔Ｔの間に測定された値から導かれ、次いで前記参照温度ＴＲのための値を構成する平均温度を、前記電子カード（６）によって計算すること；
−  前記温度センサー（９）により前記瞬時温度”ＴＳ”を取得すること、そして、予め設定した時間間隔”Ｔ３”毎に前記参照温度”ＴＲ”及び前記”ＴＳ”を比較すること；
−  前記瞬時温度”ＴＳ”が前記参照温度”ＴＲ”と異なるときにはいつでも前記ペルチェセル（４）を始動すること、すなわち、前記瞬時温度”ＴＳ”が前記参照温度”ＴＲ”より高いとき前記ペルチェセルの冷却、あるいは前記瞬時温度”ＴＳ”が前記参照温度”ＴＲ”より低いとき前記ペルチェセルの加熱を実施すること；
−  前記瞬時温度“ＴＳ”が前記参照温度”ＴＲ”に一致する状態にある間、前記ペルチェセル（４）の稼働を停止させること；
−  時間間隔Ｔに続き、各々の新しい時間間隔”Ｔ２”の終端において、前記温度センサー（９）を用いて皮膚の温度を検出することによって前記参照温度”ＴＲ”を更新すること；
−  時間的に最も離れた測定を除き、そこに最も直近の測定を含めさせた、直近Ｎ−１回の測定に渡って計測された温度の平均値から構成される新しい参照温度”ＴＲ”を前記電子回路基板（６）によって再計算すること
を特徴とする身体温度調節方法。
【国際調査報告】
2017517289.tif 000006
2017517289.tif 000007
2017517289.tif 000008